(57)【要約】【課題】反射ミラーの部品コストを抑制し、振動による画像ずれの発生を抑制する光走査装置および画像形成装置を提供する。【解決手段】回転軸５３１まわりに回転して光源５１から出射された光ビーム５２を偏向させる偏向部５３と、偏向された光ビーム５２を反射して被走査体１３へ導く複数の反射ミラー６と、複数の反射ミラー６を支持する支持部８１，８２と、を備え、複数の反射ミラー６は、第１反射ミラー６１および第２反射ミラー６４を有し、第１反射ミラー６１および第２反射ミラー６４は、回転軸方向Ｚから見て重複する部分を有するように配置されているとともに、主走査方向Ｘにずらして配置され、第１反射ミラー６１および第２反射ミラー６４のうち一方を支持する支持部８２は、第１反射ミラー６１および第２反射ミラー６４のうち他方を挿通させる挿通部８５を有する光走査装置１０とする。【選択図】図６
2020194052.tif 000002
【特許請求の範囲】
【請求項１】
光源から出射された光ビームを偏向して被走査体を走査させる光走査装置であって、
光源と、
回転軸まわりに回転して前記光源から出射された光ビームを偏向させる偏向部と、
前記偏向部で偏向された前記光ビームを反射して被走査体へ導く複数の反射ミラーと、
前記複数の反射ミラーを支持する支持部と、
を備え、
前記複数の反射ミラーは、第１反射ミラーおよび第２反射ミラーを有し、
前記被走査体を走査させる方向を主走査方向とし、前記回転軸に平行な方向を回転軸方向として、
前記第１反射ミラーおよび前記第２反射ミラーは、前記回転軸方向から見て重複する部分を有するように配置されているとともに、前記主走査方向にずらして配置され、
前記第１反射ミラーおよび前記第２反射ミラーのうち一方を支持する前記支持部は、前記第１反射ミラーおよび前記第２反射ミラーのうち他方を挿通させる挿通部を有する、
光走査装置。
【請求項２】
前記挿通部は、前記支持部に設けられた貫通孔である、
請求項１に記載の光走査装置。
【請求項３】
前記第１反射ミラーおよび前記第２反射ミラーは、前記主走査方向における長さが等しい、
請求項１または請求項２に記載の光走査装置。
【請求項４】
前記第１反射ミラーおよび前記第２反射ミラーは、相互に異なる被走査体に対して出射された光ビームを反射させる、
請求項１から請求項３のいずれか１項に記載の光走査装置。
【請求項５】
前記第１反射ミラーおよび前記第２反射ミラーは、前記回転軸方向に間隙をおいて配置されており、
前記第１反射ミラーおよび前記第２反射ミラーによって光ビームが導かれる特定の被走査体以外の被走査体に導かれる光ビームが前記間隙を通過する、
請求項１から請求項４のいずれか１項に記載の光走査装置。
【請求項６】
前記偏向部の回転軸に直交し、かつ前記偏向部を等分する平面を基準面として、
前記第１反射ミラーおよび前記第２反射ミラーの一方は、前記基準面の被走査体側に配設され、前記第１反射ミラーおよび前記第２反射ミラーの他方は、前記基準面の被走査体側の反対側に配設されている、
請求項１から請求項５のいずれか１項に記載の光走査装置。
【請求項７】
前記第１反射ミラーおよび前記第２反射ミラーの主走査方向端部には、ＢＤセンサを保持するＢＤセンサ保持部が筐体の底面から突出するように形成されている、
請求項１から請求項６のいずれか１項に記載の光走査装置。
【請求項８】
請求項１から請求項７のいずれか１項に記載の光走査装置を備え、
前記光走査装置により前記被走査体上に潜像を形成し、前記被走査体上の潜像を可視像に現像して、前記可視像を前記被走査体から用紙に転写形成することを特徴とする画像形成装置。
【発明の詳細な説明】
【技術分野】
【０００１】
本発明は、光ビームにより被走査体を走査する光走査装置、およびそれを備えた画像形成装置に関する。
【背景技術】
【０００２】
電子写真方式のカラー画像形成装置では、複数の色に対応する各感光体（各被走査体）表面を均一に帯電させてから、各光ビームにより各感光体表面を走査して、各感光体表面にそれぞれの静電潜像を形成する。各感光体表面の静電潜像は、各色のトナーにより現像され、各感光体表面に各色のトナー像が形成される。各色のトナー像は、各感光体から中間転写体に重ね合わせ転写され、中間転写体上にカラーのトナー像が形成される。そしてこのカラーのトナー像が、中間転写体から記録用紙に転写される。光ビームによる各感光体の走査は、光走査装置により行われ、一般的には、ブラック、シアン、マゼンタ、イエローの４色のトナーを用いて、少なくとも４本の光ビームにより４つの感光体を走査する。
【０００３】
近年では、画像形成装置の小型化や薄型化が求められるようになっており、光走査装置についても小型化や薄型化が要望されている。例えば特許文献１に記載された光走査装置では、複数の反射ミラーによって構成される複数の光学系を有しており、光源から出射されたそれぞれの光ビームは、偏向部で反射させて各光学系に振り分けられ、各光学系により各光ビームをそれぞれの感光体に入射させるよう構成されている。そして、一つの光学系を構成する複数の反射ミラーのうち、光ビームの光路における前段に配置された反射ミラーと後段に配置された反射ミラーが、偏向部の回転軸方向（上下方向）に重なるように構成されている。
【先行技術文献】
【特許文献】
【０００４】
【特許文献１】特開２０１７−４４９６６号公報
【発明の概要】
【発明が解決しようとする課題】
【０００５】
上述のように、偏向部の回転軸方向（上下方向）に重なるように反射ミラーを配置する場合、反射ミラー両端を支持する支持部の位置をずらせる必要があるため、従来は、長さの異なるミラーを用いていた。しかしながら、長さを長くした反射ミラーは、光ビームの広がりに対して余分な長さを有することとなり、余分な部品コストが掛かることとなる。また反射ミラーが長くなると振動による画像ずれ（バンディング）が発生するおそれがある。
【０００６】
本発明の目的は、反射ミラーの部品コストを抑制することができるとともに、振動による画像ずれの発生を抑制することができる、光走査装置および画像形成装置を提供することにある。
【課題を解決するための手段】
【０００７】
本発明の光走査装置は、光源から出射された光ビームを偏向して被走査体を走査させる光走査装置であって、
光源と、
回転軸まわりに回転して前記光源から出射された光ビームを偏向させる偏向部と、
前記偏向部で偏向された前記光ビームを反射して被走査体へ導く複数の反射ミラーと、
前記複数の反射ミラーを支持する支持部と、
を備え、
前記複数の反射ミラーは、第１反射ミラーおよび第２反射ミラーを有し、
前記被走査体を走査させる方向を主走査方向とし、前記回転軸に平行な方向を回転軸方向として、
前記第１反射ミラーおよび前記第２反射ミラーは、前記回転軸方向から見て重複する部分を有するように配置されているとともに、前記主走査方向にずらして配置され、
前記第１反射ミラーおよび前記第２反射ミラーのうち一方を支持する前記支持部は、前記第１反射ミラーおよび前記第２反射ミラーのうち他方を挿通させる挿通部を有することを特徴とする（第１の構成）。
【０００８】
上記構成によれば、第１反射ミラーおよび第２反射ミラーのうち一方を支持する支持部は、第１反射ミラーおよび第２反射ミラーのうち他方を挿通させる挿通部を有する。このため、第１反射ミラーまたは第２反射ミラーの長さを余分に長くすることなく支持部の位置をずらせることができる。これにより、反射ミラーの部品コストを抑制することができるとともに、振動による画像ずれの発生を抑制することができる。
【０００９】
上記第１の構成において、
前記挿通部は、前記支持部に設けられた貫通孔であってもよい（第２の構成）。
【００１０】
上記構成によれば、挿通部は、支持部に設けられた貫通孔である。このため、第１反射ミラーおよび第２反射ミラーが、回転軸方向から見て大部分が重複するように配置されている場合であっても、第１反射ミラーまたは第２反射ミラーの長さを余分に長くすることなく支持部の位置をずらせることができる。
【００１１】
上記第１または第２の構成において、
前記第１反射ミラーおよび前記第２反射ミラーの前記主走査方向における長さを等しくしてもよい（第３の構成）。
【００１２】
上記構成によれば、第１反射ミラーおよび第２反射ミラーは、主走査方向における長さが等しいため、第１反射ミラーおよび第２反射ミラーとして、共通化された反射ミラーを用いることができ、反射ミラーの部品コストを抑制することができる。
【００１３】
上記第１から第３のいずれかの構成において、
前記第１反射ミラーおよび前記第２反射ミラーは、相互に異なる被走査体に対して出射された光ビームを反射させるようにしてもよい（第４の構成）。
【００１４】
上記構成によれば、相互に異なる被走査体に対して出射された光ビームを反射させる第１反射ミラーおよび第２反射ミラーを、回転軸方向から見て重複する部分を有するように配置することができるため、光走査装置を薄型化することができる。
【００１５】
上記第１から第４のいずれかの構成において、
前記第１反射ミラーおよび前記第２反射ミラーは、前記回転軸方向に間隙をおいて配置されており、
前記第１反射ミラーおよび前記第２反射ミラーによって光ビームが導かれる特定の被走査体以外の被走査体に導かれる光ビームが前記間隙を通過するようにしてもよい（第５の構成）。
【００１６】
上記構成によれば、第１反射ミラーおよび第２反射ミラーの間の間隙に、第１反射ミラーおよび第２反射ミラーによって光ビームが導かれる特定の被走査体以外の被走査体に導かれる光ビームが通過するように複数の反射ミラーを配置することができる。このため、光走査装置を薄型化することができる。
【００１７】
上記第１から第５のいずれかの構成において、
前記偏向部の回転軸に直交し、かつ前記偏向部を等分する平面を基準面として、
前記第１反射ミラーおよび前記第２反射ミラーの一方は、前記基準面の被走査体側に配設され、前記第１反射ミラーおよび前記第２反射ミラーの他方は、前記基準面の被走査体側の反対側に配設されていてもよい（第６の構成）。
【００１８】
上記構成によれば、第１反射ミラーおよび第２反射ミラーの一方は、基準面の被走査体側に配設され、第１反射ミラーおよび第２反射ミラーの他方は、基準面の被走査体側の反対側に配設されている。このため、光走査装置を薄型化することができる。
【００１９】
上記第１から第６のいずれかの構成において、
前記第１反射ミラーおよび前記第２反射ミラーの主走査方向端部には、ＢＤセンサを保持するＢＤセンサ保持部が筐体の底面から突出するように形成されていてもよい（第７の構成）。
【００２０】
上記構成によれば、第１反射ミラーおよび第２反射ミラーのうち一方を支持する支持部の位置を主走査方向にずらせることにより、第１反射ミラーおよび前記第２反射ミラーの主走査方向端部に、ＢＤセンサおよびＢＤセンサ保持部を配置するスペースを確保することができる。
【００２１】
本発明の画像形成装置は、上記第１から第７のいずれかの構成の光走査装置を備え、
前記光走査装置により前記被走査体上に潜像を形成し、前記被走査体上の潜像を可視像に現像して、前記可視像を前記被走査体から用紙に転写形成することを特徴とする（第８の構成）。
【発明の効果】
【００２２】
本発明の光走査装置および画像形成装置によれば、第１反射ミラーまたは第２反射ミラーの長さを余分に長くすることなく支持部の位置をずらせることができる。これにより、反射ミラーの部品コストを抑制することができるとともに、振動による画像ずれの発生を抑制することができる。
【図面の簡単な説明】
【００２３】
【図１】本発明の実施形態１に係る光走査装置を備えた画像形成装置を示す断面図である。
【図２】画像形成装置における光走査装置を示す概略上面図である。
【図３】光走査装置の下筐体を斜め上方から見て示す斜視図である。
【図４】光走査装置における各光学部材の配設位置を断面により示す説明図である。
【図５】光走査装置の複数の光学部材を抽出して示す説明図である。
【図６】図４のＡ―Ａ線において切断した第１反射ミラーおよび第２反射ミラーの配置を示す断面図である。
【図７】第１反射ミラー第１支持部および第２反射ミラー第１支持部を示す斜視図である。
【図８】図７の矢印Ｂ方向からみた第１反射ミラー第１支持部および第２反射ミラー第１支持部を示す側面図である。
【図９】第１反射ミラーを取り付けた状態における第１反射ミラー第１支持部および第２反射ミラー第１支持部を示す斜視図である。第２支持部に第２付近を示す斜視図である。
【図１０】第１反射ミラーおよび第２反射ミラーを取り付けた状態における第１反射ミラー第１支持部および第２反射ミラー第１支持部を示す斜視図である。
【図１１】ＢＤセンサおよびＢＤセンサ保持部を示す斜視図である。
【発明を実施するための形態】
【００２４】
〔実施形態１〕
以下、本発明の実施の形態に係る光走査装置１０および画像形成装置１について、図面を参照しつつ説明する。
【００２５】
図１は、本発明の実施形態１に係る光走査装置１０を備えた画像形成装置１を示す断面図である。この画像形成装置１において扱われる画像データは、ブラック（Ｋ）、シアン（Ｃ）、マゼンタ（Ｍ）、イエロー（Ｙ）の各色を用いたカラー画像に応じたもの、または単色（例えばブラック）を用いたモノクロ画像に応じたものである。このため、現像装置１２、感光体ドラム１３、ドラムクリーニング装置１４、および帯電器１５等は、各色に応じた４種類のトナー像を形成するためにそれぞれ４個ずつ設けられ、それぞれがブラック、シアン、マゼンタ、およびイエローに対応付けられて、４つの画像ステーションＰａ、Ｐｂ、Ｐｃ、Ｐｄが構成されている。
【００２６】
各画像ステーションＰａ、Ｐｂ、Ｐｃ、Ｐｄのいずれにおいても、ドラムクリーニング装置１４により感光体ドラム１３表面の残留トナーを除去および回収した後、帯電器１５により感光体ドラム１３の表面を所定の電位に均一に帯電させ、光走査装置１０により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２７】
引き続いて、中間転写ベルト２１を周回移動させつつ、ベルトクリーニング装置２２により中間転写ベルト２１の残留トナーを除去および回収した後、各感光体ドラム１３表面の各色のトナー像を中間転写ベルト２１に順次転写して重ね合わせ、中間転写ベルト２１上にカラーのトナー像を形成する。
【００２８】
中間転写ベルト２１と２次転写装置２３の転写ローラ２３ａとの間にはニップ域が形成されており、用紙搬送経路３１を通じて搬送された記録用紙をそのニップ域に挟み込んで搬送しつつ、中間転写ベルト２１表面のカラーのトナー像を記録用紙上に転写する。そして、定着装置１７の加熱ローラ２４と加圧ローラ２５との間に記録用紙を挟み込んで加熱および加圧し、記録用紙上のカラーのトナー像を定着させる。
【００２９】
記録用紙は、ピックアップローラ３３により給紙カセット１８から引出されて、用紙搬送経路３１を通じて搬送され、２次転写装置２３や定着装置１７を経由し、排紙ローラ３６を介して排紙トレイ３９へと搬出される。この用紙搬送経路３１には、記録用紙を一旦停止させて、記録用紙の先端を揃えた後、中間転写ベルト２１と転写ローラ２３ａ間のニップ域でのトナー像の転写タイミングに合わせて記録用紙の搬送を開始するレジストローラ３４、記録用紙の搬送を促す搬送ローラ３５等が配置されている。
【００３０】
次に、画像形成装置１に備えられる光走査装置１０について説明する。図２は、画像形成装置１における光走査装置１０を示す概略上面図である。図３は、光走査装置１０の下筐体４１２を斜め上方から見て示す斜視図である。
【００３１】
なお、図３等に示すように、主走査方向Ｘと直交する方向を副走査方向Ｙとし、主走査方向Ｘおよび副走査方向Ｙに直交する方向（ポリゴンミラー５３の回転軸５３１の軸線Ｇ（図４参照）に沿う方向）を回転軸方向Ｚとして、以下説明する。
【００３２】
図２および図３に示すように、光走査装置１０の筐体４１は、上面視で矩形状の上筐体４１１と、下筐体４１２とを備えている。図２に示すように、筐体４１の上筐体４１１には、光ビームを通過させる複数の防塵窓４２が設けられている。防塵窓４２は、例えば透明ガラスにより形成されている。図３に示すように、筐体４１の下筐体４１２は、筐体４１の底面部を構成する底板４３と、底板４３を囲む４つの側板４４とから構成されている。下筐体４１２は、上筐体４１１によって閉塞され防塵されている。
【００３３】
光走査装置１０は、光源である複数の発光素子５１から出射された光ビームをポリゴンミラー５３の反射面へと導き、光ビームをポリゴンミラー５３の反射面で反射して偏向させる。ポリゴンミラー５３は、六角柱や八角柱等の多角柱形状を有し、側面にミラーを備え、ポリゴンモータにより回転軸５３１まわりに回転する回転多面鏡である。反射した光ビームは、筐体４１内に備えられた各光学部材によって、被走査体としての感光体ドラム１３へとそれぞれ導かれる。このような光ビームによって、対応する各感光体ドラム１３を走査する。
【００３４】
図２に示すように、各発光素子５１からポリゴンミラー５３までは、各発光素子５１からポリゴンミラー５３へと向う順に、４つのコリメータレンズ５４、４つの第１ミラー５５ａ、５５ｂ、シリンドリカルレンズ５６、および第２ミラー５７が配置されている。
【００３５】
コリメータレンズ５４は、発光素子５１から出射された光ビームを平行光に変換する。３つの第１ミラー５５ｂは、３つの発光素子５１からそれぞれのコリメータレンズ５４を通じて入射した光ビームを１つの第１ミラー５５ａへと反射する。１つの第１ミラー５５ａは、３つの第１ミラー５５ｂで反射された各光ビームをシリンドリカルレンズ５６へと反射する。また、他の１つの発光素子５１からコリメータレンズ５４を透過した光ビームは、第１ミラー５５ａの上方を通過してシリンドリカルレンズ５６に入射する。
【００３６】
シリンドリカルレンズ５６は、副走査方向Ｙについて、光ビームを集光してポリゴンミラー５３の反射面もしくは該反射面の近傍でほぼ収束させ、かつ光ビームのスポットをポリゴンミラー５３の反射面もしくは該反射面の近傍で絞り、また副走査方向Ｙと直交する主走査方向Ｘについて、光ビームをそのまま平行光として出射する。
【００３７】
光走査装置１０においては、各光ビームが、ポリゴンミラー５３の反射面で反射されて偏向され、それぞれの光路を通って各感光体ドラム１３に入射し、各感光体ドラム１３の表面を繰り返し主走査する。各感光体ドラム１３が回転駆動されることで、各光ビームにより各感光体ドラム１３の周面は走査され、各感光体ドラム１３の表面に静電潜像が形成される。
【００３８】
図４は、光走査装置１０における各光学部材の配設位置を断面により示す説明図である。図４に示すように、本実施形態に係る光走査装置１０では、ポリゴンミラー５３から各感光体ドラム１３までの光路に、ポリゴンミラー５３から各感光体ドラム１３へと向う順に、第１ｆθレンズ７１、複数の反射ミラー６、および４つの第２ｆθレンズ７２がそれぞれ配置されている。
【００３９】
第１ｆθレンズ７１は、主走査方向Ｘおよび副走査方向Ｙのいずれについても、光ビーム５２をそれぞれの感光体ドラム１３の表面で所定のビーム径となるように集光して出射し、かつポリゴンミラー５３により主走査方向Ｘに等角速度で偏向されている光ビーム５２をそれぞれの感光体ドラム１３上の主走査線に沿って等線速度で移動するように変換する。これにより、光ビーム５２は、それぞれの感光体ドラム１３の表面を主走査方向Ｘに繰返し走査する。
【００４０】
光路に設けられた複数の反射ミラー６は、第１ｆθレンズ７１を透過した光ビーム５２を反射し、それぞれの第２ｆθレンズ７２に入射させる。第２ｆθレンズ７２は、主に、副走査方向Ｙについて、平行光の光ビーム５２を集光してそれぞれの感光体ドラム１３の表面で所定のビーム径（スポット径）となるように絞り、また主走査方向Ｘについて、収束光となった光ビーム５２をそれぞれの感光体ドラム１３へと出射する。
【００４１】
光走査装置１０においては、各光ビーム５２が、ポリゴンミラー５３の反射面で反射されて偏向され、それぞれの光路を通って各感光体ドラム１３に入射し、各感光体ドラム１３の表面を繰返し主走査する。各感光体ドラム１３が回転駆動されることで、各光ビーム５２により各感光体ドラム１３の２次元表面（周面）は走査され、各感光体ドラム１３の表面に静電潜像が形成される。
【００４２】
これらの光路のうち、マゼンタ（Ｍ）用感光体ドラム１３ｍ、およびイエロー用感光体ドラム１３ｙへの光ビーム５２の光路について説明する。
【００４３】
図５は、光走査装置１０の複数の光学部材を抽出して示す説明図である。図５に示すように、マゼンタ用感光体ドラム１３ｍへの光ビーム５２の光路には、ポリゴンミラー５３からマゼンタ用感光体ドラム１３ｍまでの間の複数の反射ミラー６として、ポリゴンミラー５３からマゼンタ用感光体ドラム１３ｍへと向う順に、反射ミラー６１と、反射ミラー６１で反射された光ビーム５２を受ける反射ミラー６２と、反射ミラー６２で反射された光ビーム５２を受ける反射ミラー６３とが備えられている。反射ミラー６１は、本発明の第１反射ミラーに相当する。以下では反射ミラー６１を第１反射ミラー６１とする場合がある。
【００４４】
光ビームのビーム進行方向において、ポリゴンミラー５３から、最前段の第１反射ミラー６１までの光ビーム５２の光路には、第１ｆθレンズ７１が設けられている。また、最後段の反射ミラー６３からマゼンタ用感光体ドラム１３ｍまでの光ビーム５２の光路には、第２ｆθレンズ７２が設けられている。
【００４５】
最後段の反射ミラー６３への光ビーム５２の光路は、最前段の第１反射ミラー６１への光路を横切るように、これらの第１反射ミラー６１、反射ミラー６２および反射ミラー６３が配設されている。ポリゴンミラー５３で偏向された光ビーム５２は、第１ｆθレンズ７１を介して第１反射ミラー６１に入射される。第１反射ミラー６１で反射された光ビーム５２は、反射ミラー６２および反射ミラー６３で順次反射され、第２ｆθレンズ７２を介してマゼンタ用感光体ドラム１３ｍに入射される。
【００４６】
イエロー用感光体ドラム１３ｙへの光ビーム５２の光路には、ポリゴンミラー５３からイエロー用感光体ドラム１３ｙまでの間の複数の反射ミラー６として、ポリゴンミラー５３からイエロー用感光体ドラム１３ｙへと向う順に、反射ミラー６４と、反射ミラー６４で反射された光ビーム５２を受ける反射ミラー６５とが備えられている。反射ミラー６４は、本発明の第２反射ミラーに相当する。以下では反射ミラー６４を第２反射ミラー６４とする場合がある。
【００４７】
ポリゴンミラー５３から、最前段の第２反射ミラー６４までの光ビーム５２の光路には、第１ｆθレンズ７１が設けられている。また、最後段の反射ミラー６５からイエロー用感光体ドラム１３ｙまでの光ビーム５２の光路には、第２ｆθレンズ７２が設けられている。
【００４８】
図４および図５に示すように、第１反射ミラー６１および第２反射ミラー６４は、回転軸方向Ｚから見て重複する部分を有するように配置されている。また、第１反射ミラー６１および第２反射ミラー６４は、回転軸方向Ｚに間隙６１１をおいて配置されている。具体的には、図４に示すように、ポリゴンミラー５３の回転軸５３１に直交してポリゴンミラー５３を等分する平面を基準面Ｌとして、第１反射ミラー６１は基準面Ｌに対して、マゼンタ用感光体ドラム１３ｍ側の反対側に配設されている。これに対して、第２反射ミラー６４は、基準面Ｌに対して、イエロー用感光体ドラム１３ｙ側に配設されている。
【００４９】
シアン用感光体ドラム１３ｃおよびブラック用感光体ドラム１３ｋに導かれる光ビーム５２については、第１反射ミラー６１および第２反射ミラー６４の間の間隙６１１を通過するように、シアン用感光体ドラム１３ｃおよびブラック用感光体ドラム１３ｋに導かれる光ビーム５２を反射する反射ミラー６が配置されている。
【００５０】
第１反射ミラー６１および第２反射ミラー６４の配置について、より具体的に説明する。
【００５１】
図６は、図４のＡ―Ａ線において切断した第１反射ミラー６１および第２反射ミラー６４の配置を示す断面図である。図６に示すように、第１反射ミラー６１および第２反射ミラー６４は、回転軸方向Ｚから見て重複する部分を有するように配置されている（図４参照）。また、第１反射ミラー６１および第２反射ミラー６４は、主走査方向Ｘに端部をずらすようにして配置されている。第１反射ミラー６１および第２反射ミラー６４は、共通化された同じ反射ミラーであり、主走査方向Ｘにおける長さが等しい反射ミラーが用いられている。
【００５２】
第１反射ミラー６１の両端部は、第１反射ミラー支持部８１（第１反射ミラー第１支持部８１１、第１反射ミラー第２支持部８１２）に支持されている。第１反射ミラー６１の一方の端部は、第１反射ミラー第１支持部８１１に支持され、第１反射ミラー６１の他方の端部は、第１反射ミラー第２支持部８１２に支持されている。
【００５３】
また、第２反射ミラー６４の両端部は、第２反射ミラー支持部８２（第２反射ミラー第１支持部８２１、第２反射ミラー第２支持部８２２）に支持されている。第２反射ミラー６４の一方の端部は、第２反射ミラー第１支持部８２１に支持され、第２反射ミラー６４の他方の端部は、第２反射ミラー第２支持部８２２に支持されている。
【００５４】
第１反射ミラー６１および第２反射ミラー６４を、主走査方向Ｘに端部をずらすようにして配置するため、第１反射ミラー６１の一方の端部を支持する第１反射ミラー第１支持部８１１と、第２反射ミラー６４の一方の端部を支持する第２反射ミラー第１支持部８２１は、主走査方向Ｘに位置をずらすように配置されている。
【００５５】
また同様に、第１反射ミラー６１の他方の端部を支持する第１反射ミラー第２支持部８１２と、第２反射ミラー６４の他方の端部を支持する第２反射ミラー第２支持部８２２も、主走査方向Ｘに位置をずらすように配置されている。
【００５６】
第１反射ミラー支持部８１（第１反射ミラー第１支持部８１１、第１反射ミラー第２支持部８１２）および第２反射ミラー支持部８２（第２反射ミラー第１支持部８２１、第２反射ミラー第２支持部８２２）は、筐体４１の底板４３に対して突出するように、筐体４１に一体的に設けられている。
【００５７】
図７は、第１反射ミラー第１支持部８１１および第２反射ミラー第１支持部８２１を示す斜視図である。図７に示すように、第１反射ミラー第１支持部８１１は、支持部８１１１、支持突起８１１２、支持側壁８１１３、位置決めリブ８１１５、および固定部材用突起（図示せず）を有している。
【００５８】
支持部８１１１は、第１反射ミラー６１の一方の端部が載置される部分である。
【００５９】
支持突起８１１２は、支持部８１１１から突出しており、支持部８１１１に載置された第１反射ミラー６１の端部の下面に接触する部分である。支持突起８１１２の上面は湾曲しており、第１反射ミラー６１に対して線接触する。支持突起８１１２と第１反射ミラー６１が線接触することにより、第１反射ミラー６１のがたつきが生じにくくなる。なお、支持突起８１１２を設けずに支持部８１１１に直接、第１反射ミラー６１の下面を接触させるようにしてもよい。
【００６０】
支持側壁８１１３は、第１反射ミラー６１の端部の側面が接触する部分である。
【００６１】
位置決めリブ８１１５は、第１反射ミラー６１を取り付ける場合に、第１反射ミラー６１の端部を当接させて、主走査方向Ｘにおける位置を決める部分である。
【００６２】
固定部材用突起（図示せず）は、支持側壁８１１３の背面に設けられている。固定部材用突起は、第１反射ミラー６１を固定する固定部材８７（図９および図１０参照）を掛ける部分である。
【００６３】
また、第２反射ミラー第１支持部８２１は、支持部８２１１、支持突起８２１２、支持側壁８２１３、位置決めリブ８２１５、脱落防止リブ８２１６、固定部材用突起８２１７、挿通部８５、およびガイドリブ８２１８を有している。
【００６４】
支持部８２１１は、第２反射ミラー６４の一方の端部が載置される部分である。
【００６５】
支持突起８２１２は、支持部８２１１から突出しており、支持部８２１１に載置された第２反射ミラー６４の端部の下面に接触する部分である。支持突起８２１２の上面は湾曲しており、第２反射ミラー６４に対して線接触する。支持突起８２１２と第２反射ミラー６４が線接触することにより、第２反射ミラー６４のがたつきが生じにくくなる。なお、支持突起８２１２を設けずに支持部８２１１に直接、第２反射ミラー６４の下面を接触させるようにしてもよい。
【００６６】
支持側壁８２１３は、第２反射ミラー６４の端部の側面が接触する部分である。
【００６７】
位置決めリブ８２１５は、第２反射ミラー６４を取り付ける場合に、第２反射ミラー６４の端部を当接させて、主走査方向Ｘにおける位置を決める部分である。
【００６８】
脱落防止リブ８２１６は、第２反射ミラー６４を取り付ける際に、第２反射ミラー６４が支持部８２１１から脱落しないように支持部８２１１から突出するように形成されている。
【００６９】
固定部材用突起８２１７は、支持側壁８２１３に設けられている。固定部材用突起８２１７は、第２反射ミラー６４を固定する固定部材８７（図９および図１０参照）を掛ける部分である。
【００７０】
挿通部８５は、第１反射ミラー６１を挿通させるための貫通孔である。挿通部８５は、第２反射ミラー第１支持部８２１を主走査方向Ｘに貫通している。挿通部８５は、第１反射ミラー６１の断面形状よりも大きく形成されている。挿通部８５に第１反射ミラー６１を挿通させるように配置することにより、主走査方向Ｘにおける長さが等しい第１反射ミラー６１および第２反射ミラー６４を、回転軸方向Ｚから見て重複する部分を有するように配置することができる。
【００７１】
ガイドリブ８２１８は、第１反射ミラー６１を案内して、第１反射ミラー６１を挿通部８５に差し込みやすくする部分である。
【００７２】
第２反射ミラー第１支持部８２１の下方における筐体４１の底板４３には、樹脂成形時における開口部４３１が形成される。開口部４３１は、図示しない防塵シートによって塞がれている。
【００７３】
なお、第１反射ミラー６１の他方の端部が支持される第１反射ミラー第２支持部８１２（図６参照）にも、支持部、支持突起、支持側壁、位置決めリブ、および固定部材用突起が設けられている。また、第２反射ミラー６４の他方の端部が支持される第２反射ミラー第２支持部８２２（図６参照）にも、支持部、支持突起、支持側壁、位置決めリブ、および固定部材用突起が設けられている。
【００７４】
図８は、図７の矢印Ｂ方向からみた第１反射ミラー第１支持部８１１および第２反射ミラー第１支持部８２１を示す側面図である。図８に示すように、第２反射ミラー第１支持部８２１には、挿通部８５が形成されている。挿通部８５は、二点鎖線で示した第１反射ミラー６１の断面形状よりも大きく形成された貫通孔である。第１反射ミラー６１が第２反射ミラー第１支持部８２１に取り付けられた状態で、第１反射ミラー６１の下面は、支持突起８１１２に接触して支持されている。
【００７５】
図９は、第１反射ミラー６１を取り付けた状態における第１反射ミラー第１支持部８１１および第２反射ミラー第１支持部８２１を示す斜視図である。図９に示すように、第１反射ミラー６１の一方の端部は、挿通部８５を貫通するように配置されて、第１反射ミラー第１支持部８１１に支持される。第１反射ミラー６１の他方の端部は、第１反射ミラー第２支持部８１２に支持される（図６参照）。第１反射ミラー６１の両端部は、第１反射ミラー第１支持部８１１および第１反射ミラー第２支持部８１２に支持された状態で、固定部材８７によって固定される。
【００７６】
図１０は、第１反射ミラー６１および第２反射ミラー６４を取り付けた状態における第１反射ミラー第１支持部８１１および第２反射ミラー第１支持部８２１を示す斜視図である。図１０に示すように、第１反射ミラー６１を取り付けた後、第２反射ミラー６４を取り付ける。第２反射ミラー６４の一方の端部は、第２反射ミラー第１支持部８２１に支持される。第２反射ミラー６４の他方の端部は、第２反射ミラー第２支持部８２２に支持される（図６参照）。第２反射ミラー６４の両端部は、第２反射ミラー第１支持部８２１および第２反射ミラー第２支持部８２２に支持された状態で、固定部材８７によって固定される。
【００７７】
図１１は、ＢＤセンサ９１およびＢＤセンサ保持部９３を示す斜視図である。図１１に示すように、第１反射ミラー６１および第２反射ミラー６４の主走査方向Ｘの端部には、ＢＤセンサ９１が設けられている。ＢＤセンサ９１は、筐体４１の底板４３に設けられたＢＤセンサ保持部９３によって保持されている。ＢＤセンサ保持部９３は、第２反射ミラー６４の他方の端部が支持される第２反射ミラー第２支持部８２２に対して、主走査方向Ｘに隣接するように配置されている。
【００７８】
ＢＤセンサ保持部９３の上部には、凹部９４が形成されている。ＢＤセンサ９１は、凹部９４に収容される。ＢＤセンサ９１は、固定バネ９５によって凹部９４内に固定されている。
【００７９】
上述のように、下側の第１反射ミラー６１は、一方の端部を筐体４１の一方の片側によせた支持構造とされている。このため、筐体４１の他方の片側において、ＢＤセンサ保持部９３を配置するスペースを確保することができる。
【００８０】
以上説明した本実施形態に係る光走査装置１０によれば、第２反射ミラー６４を支持する第２反射ミラー第１支持部８２１は、第１反射ミラー６１を挿通させる挿通部８５を有する。このため、第２反射ミラー６４の長さを余分に長くすることなく第１反射ミラー支持部８１（第１反射ミラー第１支持部８１１、第１反射ミラー第２支持部８１２）および第２反射ミラー支持部８２（第２反射ミラー第１支持部８２１、第２反射ミラー第２支持部８２２）の位置をずらせることができる。これにより、第１反射ミラー６１および第２反射ミラー６４として、主走査方向Ｘにおける長さが等しい共通化された反射ミラーを用いることができ、反射ミラーの部品コストを抑制することができるとともに、振動による画像ずれの発生を抑制することができる。
【００８１】
なお、本実施形態ではマゼンタ（Ｍ）用感光体ドラム１３ｍおよびイエロー用感光体ドラム１３ｙへ光ビーム５２を導く反射ミラーの配置を説明したが、他の感光体ドラム１３に光ビーム５２を導く反射ミラーに対しても同様に適用することができ、マゼンタ（Ｍ）用感光体ドラム１３ｍおよびイエロー用感光体ドラム１３ｙに限定されるものではない。
【００８２】
〔実施形態２〕
実施形態１に係る光走査装置１０では、第２反射ミラー第１支持部８２１に設けられた挿通部８５は第１反射ミラー６１を挿通させる貫通孔としたが、実施形態２に係る光走査装置の挿通部は、第１反射ミラー６１を挿通させる凹部とする。この場合、第１反射ミラー６１を第１支持部に配置する作業が容易になる。
【００８３】
〔実施形態３〕
実施形態１に係る光走査装置１０では、第１反射ミラー６１および第２反射ミラー６４として、主走査方向Ｘにおける長さが等しい共通化された反射ミラーを用いたが、実施形態３に係る光走査装置では、第１反射ミラーおよび第２反射ミラーとして、主走査方向Ｘにおける長さが異なる反射ミラーを用いる。この場合、光ビームの広がりに対して適切な長さを有する反射ミラーを用いることができる。
【００８４】
〔他の実施形態〕
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００８５】
例えば、本発明に係る光走査装置において、光ビーム５２を反射して各感光体ドラム１３へと導く複数の反射ミラー６は、実施形態に示した設置数であるに限られず、より多くの反射ミラーが設けられてもよい。また、各反射ミラー６の配置形態についても、図５および図６に例示したものに限定されない。
【産業上の利用可能性】
【００８６】
本発明は、電子写真方式の画像形成装置、およびこれに備えられる光走査装置に適用することが可能である。
【符号の説明】
【００８７】
１    画像形成装置
１０  光走査装置
１３  感光体ドラム（被走査体）
５１  発光素子（光源）
５２  光ビーム
５３  ポリゴンミラー（偏向部）
ＲＡ  回転軸
６    反射ミラー
６１  第１反射ミラー
６４  第２反射ミラー
８１  第１支持部
８２  第２支持部
８５  挿通部
Ｘ    主走査方向
Ｙ    副走査方向
Ｚ    回転軸方向
【図１】
2020194052.tif 000003
【図２】
2020194052.tif 000004
【図３】
2020194052.tif 000005
【図４】
2020194052.tif 000006
【図５】
2020194052.tif 000007
【図６】
2020194052.tif 000008
【図７】
2020194052.tif 000009
【図８】
2020194052.tif 000010
【図９】
2020194052.tif 000011
【図１０】
2020194052.tif 000012
【図１１】
2020194052.tif 000013